(57)【要約】【課題】下枠部材や板材に液体が滞留することを防ぐことで、液体がキャビネット、またその周囲に対して、雑菌の繁殖等による悪影響を及ぼすことを防止するキャビネット用前板を提供する。【解決手段】板材１２と、溝型で内側に板材１２の下端がはめ込まれる下枠部材１１とを備えるキャビネット用前板１において、前記下枠部材１１の後壁部１１１には板材１２を外部に露出するための開口部３を有している。又、開口部３の下端は下枠部材１１の底辺部１１２に達している。【選択図】図２
2007143778.tif 000002
【特許請求の範囲】
【請求項１】
板材と、溝型で内側に板材の下端がはめ込まれる下枠部材とを備えるキャビネット用前板において、前記下枠部材の後壁部には板材を外部に露出するための開口部を有することを特徴とするキャビネット用前板。
【請求項２】
開口部の下端は下枠部材の底辺部に達していることを特徴とする請求項１記載のキャビネット用前板。
【請求項３】
板材は合板の前側表面に防水性の化粧板を貼着して構成されていることを特徴とする請求項１または２に記載のキャビネット用前板。
【請求項４】
キャビネットに収容される食器洗い乾燥機の前板として用いられることを特徴とする請求項１〜３のいずれか一項に記載のキャビネット用前板。
【発明の詳細な説明】
【技術分野】
【０００１】
本願発明は、キッチンキャビネット等に用いられるキャビネット用前板に関するものである。
【背景技術】
【０００２】
従来から、特開２００４−２２３００９号公報に示されるように、枠部材を備えたキャビネット用前板は知られている。図３に示されるように、このキャビネット用前板１は、引出し５などのキャビネットを構成する部分の前面において用いられる。引出し５は、引出し本体５１とキャビネット用前板１から構成されており、キャビネット用前板１は枠部材１０、板材１２からなる。また、この例においては枠部材１０の下部が下枠部材１１である。板材１２は、枠部材１０に上部から挿入されてはめ込まれ、固定される。この時、板材１２の下端は下枠部材１１にはめ込まれる。
【０００３】
このキャビネット用前板１の下部は、図４に示す如く、板材１２の下端が、コ字状で溝型の下枠部材１１に上部からはめ込まれた構造になっている。下枠部材１１と板材１２との間にはわずかに隙間１１０がある。板材１２の表面に液体の水滴４が付着した場合、その水滴４は、板材１２の表面を伝って下に落ち、隙間１１０から下枠部材１１の内側に浸入し、水溜り４１などとして滞留する。滞留した液体は、下枠部材１１を含む枠部材１０や板材１２によって排出を阻害されるため、下枠部材１１の内側に滞留し続ける。この滞留した液体により雑菌が発生する等の問題が発生する。
【０００４】
この問題はあらゆるキャビネット用前板に起こりうる問題であるが、特に上部に水道の蛇口を備えた洗面化粧台やキッチンキャビネットに用いられる場合においては、水道からの水滴がキャビネット用前板に付着しやすいものである。
【特許文献１】特開２００４−２２３００９号公報
【発明の開示】
【発明が解決しようとする課題】
【０００５】
本願発明は、上記背景技術に鑑みて発明されたものであり、その課題は、下枠部材や板材に液体が滞留することを防ぐことで、液体がキャビネット、またその周囲に対して、雑菌の繁殖等による悪影響を及ぼすことを防止するキャビネット用前板を提供することである。
【課題を解決するための手段】
【０００６】
上記課題を解決するために、本願発明は、板材と、溝型で内側に板材の下端がはめ込まれる下枠部材とを備えるキャビネット用前板において、前記下枠部材の後壁部には板材を外部に露出するための開口部を有している。又、開口部の下端は下枠部材の底辺部に達している。又、板材は合板の前側表面に防水性の化粧板を貼着して構成されている。又、キャビネットに収容される食器洗い乾燥機の前板として用いられる。
【発明の効果】
【０００７】
本願発明のキャビネット用前板においては、下枠部材の後壁部には開口部を有していることから、板材は開口部を通じて外部に露出されているため、下枠部材の内側に浸入した液体は開口部を通じて蒸発し、キャビネット、またその周囲に対して、雑菌の繁殖等による悪影響を及ぼすことを防止することが可能となる。
【０００８】
板材に液体がかかるのは主に前面であり、前板であるということから後面にはほとんど液体がかかることがないので、開口部は下枠部材の後壁部に設けられているが、これにより、この実施形態のキャビネット用前板が用いられているキャビネットその他家具等の美感を損ねることが無い。
【０００９】
又、開口部の下端は下枠部材の底辺部に達しているため、下枠部材の内側に浸入した液体は開口部を通じて排出されるため、浸入した液体が滞留して悪影響を及ぼすことを防ぐ効果がある。
【００１０】
又、板材が合板の前側表面に防水性の化粧板を貼着して構成されている場合においては、下枠部材の内側に液体が滞留した場合、合板がこの液体を吸収して、合板と化粧板の間に膨れを生じることがあるが、本願発明によりこの問題を防ぐことが可能になる。
【００１１】
又、本願発明のキャビネット用前板がキャビネットに収容される食器洗い乾燥機の前板として用いられる場合においては、前板に液体がかかりやすく、また清潔に保つ必要がある食器洗い乾燥機において、下枠部材に溜まった液体により雑菌が繁殖するなどの悪影響を防ぐことが可能となる。また、食器洗い乾燥機の前板が備える板材が合板の前側表面に防水性の化粧板を貼着して構成されている場合には、食器洗い乾燥機から発生する熱によって、液体を吸収した合板がさらに膨れを生じやすくなるという問題が発生するが、本願発明によりこの問題が防止される。
【発明を実施するための最良の形態】
【００１２】
図１、２は、本願の請求項１〜４全てに対応した一実施形態であるキャビネット用前板１を示している。この実施形態においては、板材１２と、溝型で内側に板材１２の下端がはめ込まれる下枠部材１１とを備えるキャビネット用前板１において、前記下枠部材１１の後壁部１１１には板材１２を外部に露出するための開口部３を有している。又、開口部３の下端は下枠部材１１の底辺部１１２に達している。又、板材１２は合板１２２の前側表面に防水性の化粧板１２１を貼着して構成されている。又、キャビネットに収容される食器洗い乾燥機２の前板として用いられる。
【００１３】
以下、この実施形態のキャビネット用前板を、より具体的詳細に説明する。図１、２に示すように、キャビネット用前板１はキッチンにおいて、キッチンキャビネットに収容される食器洗い乾燥機２の前板として使用される。上面に蛇口やシンク、調理台を備えたキッチンキャビネットに、食器洗い乾燥機２が収容されて含まれており、その前面には、この実施形態のキャビネット用前板１が固定されている。
【００１４】
食器洗い乾燥機２は引出し式であり、その中に洗浄する食器を収めるようになされている。食器洗い乾燥機２を引出すための引手は、キャビネット用前板１前側表面に設けられている。食器洗い乾燥機２の食器を収める空間とキャビネット用前板１とは、キャビネット用前板１の後ろ側に設けられた、ステンレスやプラスチック等の防水性を有する素材からなる部材（図示せず）により遮蔽されているため、食器を洗浄するための水が直接キャビネット用前板１の後部表面にかかることはない。食器洗い乾燥機２が動作している間に発生する水蒸気は、キャビネット用前板１よりも上部に設けられた蒸気排出孔から外部に排出される。
【００１５】
キャビネット用前板１は、板材１２と、板材１２周辺部に設けた枠部材１０とを備えている。下枠部材１１は枠部材１０の下側部分であり、板材１２の下端がはめ込まれている。枠部材１０はステンレスやアルミニウム等の金属製である。
【００１６】
キャビネット用前板１は、水を使用する食器洗い乾燥機２の前板であるため、板材１２には、食器洗い乾燥機２を開けた時に、食器の出し入れ等に伴って水が付着する。
【００１７】
また、キッチンキャビネット上面に備えられた蛇口からの水や、調理台で調理される料理の素材、調味料等の液体もまた板材１２の前部表面にかかる。かかった液体は、板材１２の前部表面を伝って下に行き、下枠部材１１と板材１２との隙間１１０から、溝型の下枠部材１１内側に浸入する。板材１２は、図２（ｃ）が示すように、その上下端がコ字状で溝型の枠部材１０にはめ込まれた構造であり、又左右端も同様に枠部材１０にはめ込まれた構造であることから、下枠部材１１に侵入した液体が排出されることが妨げられているが、下枠部材１１の後壁部１１１には板材１２を外部に露出するための開口部３が設けられているため、下枠部材１１に浸入した液体は開口部３を通じて蒸発により排出される。また開口部３の下端は下枠部材１１の底辺部１１２達しているため、液体は下枠部材１１内側に滞留することなく、開口部３を通じて排出される。
【００１８】
開口部３は、下枠部材１１の後壁部１１１に、等間隔で複数個が並んでいる。開口部３の左右端は上下方向の直線形状であるが、開口部３の上端は後壁部１１１の上端に達している。
【００１９】
この実施形態のキャビネット用前板１においては、下枠部材１１の後壁部１１１には開口部３を有していることから、板材１２は開口部３を通じて外部に露出されているため、下枠部材１１に侵入した液体は開口部３を通じて蒸発し、キャビネット、またその周囲に対して、雑菌の繁殖等による悪影響を及ぼすことを防止することが可能となる。
【００２０】
板材１２に液体がかかるのは主に前面であり、前板であるということから後面にはほとんど液体がかかることがないので、開口部３は下枠部材１１の後壁部１１１に設けられているが、これにより、この実施形態のキャビネット用前板１が用いられているキャビネットその他家具等の美感を損ねることが無い。
【００２１】
又、開口部３の下端は下枠部材１１の底辺部１１２に達しているため、下枠部材１１の内側に浸入した液体は開口部３を通じて排出されるため、浸入した液体が滞留して悪影響を及ぼすことを防ぐ効果がある。
【００２２】
又、板材１２が合板１２２の前側表面に防水性の化粧板１２１を貼着して構成されているので、下枠部材１１の内側に液体が滞留した場合、合板１２２がこの液体を吸収して、合板１２２と化粧板１２１の間に膨れを生じることがあるが、この実施形態によりこの問題を防ぐことが可能になる。
【００２３】
又、この実施形態のキャビネット用前板１がキャビネットに収容される食器洗い乾燥機２の前板として用いられるので、前板に液体がかかりやすく、また清潔に保つ必要がある食器洗い乾燥機２において、下枠部材１１に溜まった液体により雑菌が繁殖するなどの悪影響を防ぐことが可能となる。また、食器洗い乾燥機２の前板が備える板材１２が合板１２２の前側表面に防水性の化粧板１２１を貼着して構成されている場合には、食器洗い乾燥機２から発生する熱によって、液体を吸収した合板１２２がさらに膨れを生じやすくなるという問題が発生するが、この実施形態によりこの問題が防止される。
【００２４】
なお、本願発明は上記実施形態に限定されない。例えば、下枠部材１１は枠部材１０の一部分でなくてもよく、下枠部材１１のみを用いた場合でもよい。この場合、下枠部材１１の壁面部が前後左右にある場合においては、その壁面部と板材１２によって水の排出が妨げられるため、特に本願発明が有効である。また、枠部材１０の上部を無くし、枠部材１０に上部からはめ込んだ板材１２を、枠部材１０の横部分及び下枠部材１１に設けたネジ孔を通じてネジ止めする構造にして、板材１２を枠部材１０に単純な工程で固定可能な構造となした場合でも有効である。
【００２５】
本願発明は出入口の扉や、洗面化粧台の下部に備えられたキャビネットの前板に適用されてもよい。枠部材１０は金属製に限られず、プラスチック等他の材料を用いていてもよい。開口部３の形状は限定されず、長方形や、円形、三角形などでもよい。
【００２６】
下枠部材１１が金属製であり、金属板を折り曲げて製造される場合において、金属板を折り曲げてから開口部３を設ける場合には、下枠部材１１の後壁部１１１上端からＶ字型の切欠きを設けて開口部３とすれば製造が容易となる。
【００２７】
さらに、開口部３は複数個を設けるのではなく、一つの大きな開口部３を設けてもよい。開口部３を設けられるために取り去られた下枠部材１１の分だけ、下枠部材１１と下枠部材１１が用いられたキャビネット用前板１は軽量化される。また、開口部３は等間隔でなくても良い。
【００２８】
キャビネット用前板１が用いられる食器洗い乾燥機２は、引出し式の構造に限られない。例えば、キャビネット用前板１は、食器洗い乾燥機２前面に備えられ、下部に蝶番を有し上部に引手を有して、手前側に開口する扉に取り付けられていてもよい。
【図面の簡単な説明】
【００２９】
【図１】本願発明の一実施形態であるキャビネット用前板がキッチンキャビネットに用いられる様子を示す斜視図。
【図２】同キャビネット用前板を示す（ａ）は後面側から見た斜視図、（ｂ）はキャビネット用前板の下枠部材要部を示す斜視図、（ｃ）は縦断面図。
【図３】従来例であるキャビネット用前板を示す分解斜視図。
【図４】一般的なキャビネット用前板の下部構造を示す縦断面図。
【符号の説明】
【００３０】
１  キャビネット用前板
11  下枠部材
111  後壁部
112  底辺部
12  板材
121  化粧板
122  合板
２  食器洗い乾燥機
３  開口部
【図１】
2007143778.tif 000003
【図２】
2007143778.tif 000004
【図３】
2007143778.tif 000005
【図４】
2007143778.tif 000006